(57)【要約】【課題】  本発明の目的は、高彩度な画像を得ることが可能であり、高い発色性を有しており表現可能な色域が広く、かつプロセスブラックで形成した高品位なブラック画像が得られる感熱転写記録用シートを提供することである。【解決手段】  基材と、該基材上に、イエロー染料を含有するイエロー染料層、マゼンタ染料を含有するマゼンタ染料層、シアン染料を含有するシアン染料層を有する感熱転写記録用シートであって、該マゼンタ染料、イエロー染料、シアン染料として、特定の化合物を用いることを特徴とする感熱転写記録用シート。【選択図】  なし【特許請求の範囲】
【請求項１】
基材と、該基材上に色材層とを有する感熱転写記録用シートであって、
該色材層は、イエロー染料を含有するイエロー染料層、マゼンタ染料を含有するマゼンタ染料層、及びシアン染料を含有するシアン染料層を有し、
該マゼンタ染料は、下記一般式（１）で表される化合物を含み、
該イエロー染料は、下記一般式（２）で表される化合物を含み、
該シアン染料は、下記一般式（３）〜（５）で表される化合物群より選ばれる少なくとも１種の化合物を含む、
ことを特徴とする感熱転写記録用シート。
【化１】
2015178269.tif 000137
［一般式（１）中、
Ｒ１及びＲ２は、それぞれ独立して、アルキル基を表し、
Ｒ３は、水素原子、アルキル基、無置換のアリール基又は置換基を有するアリール基を表し、
Ｒ４は、アルキル基、無置換のアリール基又は置換基を有するアリール基を表し、
Ｒ５は、水素原子、アルキル基、無置換のアリール基、置換基を有するアリール基又は−Ｎ（−Ｒ６）Ｒ７を表し、Ｒ６及びＲ７は、それぞれ独立して、水素原子、アルキル基又はアシル基を表し、Ｒ６とＲ７とが互いに結合して環を形成してもよい。］
【化２】
2015178269.tif 000138
［一般式（２）中、
Ｒ８は、アルキル基を表し、
Ｒ９は、水素原子又はアルキル基を表し、
Ｒ１０は、アルキル基、無置換のアリール基、置換基を有するアリール基又はアミノ基を表し、
Ｒ１１は、水素原子、シアノ基、カルバモイル基、カルボン酸エステル基又はカルボン酸アミド基を表し、
Ｒ１２は、水素原子、アルキル基、無置換のアリール基、置換基を有するアリール基又は−Ｎ（−Ｒ１３）Ｒ１４を表し、Ｒ１３及びＲ１４は、それぞれ独立して、水素原子、アルキル基又はアシル基を表し、Ｒ１３とＲ１４とが互いに結合して環を形成してもよく、
Ｘは、カルボニル基又はスルホニル基を表し、
ｎは、１〜３の整数を表す。］
【化３】
2015178269.tif 000139
［一般式（３）中、Ｒ１５乃至Ｒ１９は、それぞれ独立して、アルキル基、無置換のアリール基又は置換基を有するアリール基を表す。］
【化４】
2015178269.tif 000140
［一般式（４）中、Ｒ２０及びＲ２１は、それぞれ独立して、アルキル基、無置換のアリール基又は置換基を有するアリール基を表す。］
【化５】
2015178269.tif 000141
［一般式（５）中、Ｒ２２乃至Ｒ２６は、それぞれ独立して、アルキル基、無置換のアリール基又は置換基を有するアリール基を表す。］
【請求項２】
前記一般式（１）中のＲ３が、アルキル基であることを特徴とする請求項１に記載の感熱転写記録用シート。
【請求項３】
前記一般式（１）中のＲ３が、ｔｅｒｔ−ブチル基であることを特徴とする請求項１に記載の感熱転写記録用シート。
【請求項４】
前記一般式（１）中のＲ６、Ｒ７のどちらか一方が、アルキル基であることを特徴とする請求項１〜３のいずれか１項に記載の感熱転写記録用シート。
【請求項５】
マゼンタ染料が、前記一般式（１）で表される化合物に加えて、下記一般式（６）〜（９）で表される化合物群から選択される少なくとも１種の化合物を含有することを特徴とする請求項１〜４のいずれか１項に記載の感熱転写記録用シート。
【化６】
2015178269.tif 000142
［一般式（６）中、Ｒ２７は、アルキル基、無置換のアリール基、置換基を有するアリール基又は−（Ｒ４７−Ｏ）ｎ−Ｒ４８を表し、Ｒ４７はアルキレンを表し、Ｒ４８はアルキル基を表す。］
【化７】
2015178269.tif 000143
［一般式（７）中、Ｒ２８及びＲ２９は、それぞれ独立して、アルキル基、無置換のアリール基又は置換基を有するアリール基を表す。］
【化８】
2015178269.tif 000144
［一般式（８）中、Ｒ３０乃至Ｒ３４は、それぞれ独立して、アルキル基、無置換のアリール基又は置換基を有するアリール基を表す。］
【化９】
2015178269.tif 000145
［一般式（９）中、Ｒ３５乃至Ｒ３８は、それぞれ独立して、アルキル基、無置換のアリール基又は置換基を有するアリール基を表す。］
【請求項６】
イエロー染料が、前記一般式（２）で表される化合物に加えて、下記一般式（１０）〜（１２）で表される化合物群から選択される少なくとも１種の化合物を含有することを特徴とする請求項１〜４のいずれか１項に記載の感熱転写記録用シート。
【化１０】
2015178269.tif 000146
［一般式（１０）中、Ｒ３９及びＲ４２は、それぞれ独立して、アルキル基、無置換のアリール基又は置換基を有するアリール基を表す。］
【化１１】
2015178269.tif 000147
［一般式（１１）中、Ｒ４３及びＲ４４は、それぞれ独立して、アルキル基、無置換のアリール基又は置換基を有するアリール基を表す。］
【化１２】
2015178269.tif 000148
［一般式（１２）中、Ｒ４５及びＲ４６は、それぞれ独立して、アルキル基、無置換のアリール基又は置換基を有するアリール基を表す。］
【請求項７】
該マゼンタ染料が、更に、下記一般式（６）で表される化合物または下記一般式（９）で表される化合物を含み、
該シアン染料が、更に、前記一般式（３）で露さられる化合物または前記一般式（４）で表される化合物を含む請求項１乃至４のいずれか１項に記載の感熱転写記録用シート。
【化１３】
2015178269.tif 000149
［一般式（６）中、Ｒ２７は、アルキル基、無置換のアリール基、置換基を有するアリール基又は−（Ｒ４７−Ｏ）ｎ−Ｒ４８を表し、Ｒ４７はアルキレンを表し、Ｒ４８はアルキル基を表す。］
【化１４】
2015178269.tif 000150
［一般式（９）中、Ｒ３５乃至Ｒ３８は、それぞれ独立して、アルキル基、無置換のアリール基又は置換基を有するアリール基を表す。］
【発明の詳細な説明】
【技術分野】
【０００１】
本発明は、感熱転写記録用シートに関する。
【背景技術】
【０００２】
近年、携帯式カラーディスプレイデバイスの普及に伴い、デバイスで撮影、または、作成した写真や書類を手軽にカラープリントする需要が急激に高まっている。これらに対応するカラープリント方式としては、電子写真方式、インクジェット方式、感熱転写記録方式などが挙げられる。その中でも感熱転写記録方式は、ドライプロセスでプリントできること、小型のため、プリンターの携帯性に優れることから、周囲の環境によらず、手軽にプリントできる方法として優れている。また、色材として染料を用いているため、色材の濃度階調で画像の濃淡が表現できることから、画像の鮮明性、色再現性に優れる。
【０００３】
感熱転写記録方式は、シート状基材上に熱移行性の色素を含む色材層を有する感熱転写シートと、色素受容層を表面に有する受像シートを重ね合わせ、感熱転写シートを加熱することにより感熱転写シート中の色素を受像シートに転写することにより記録を行う画像形成方法である。この感熱転写記録法において、転写シート及び転写シート用のインク組成物に含有される色材は、転写記録のスピード、記録物の画質、及び、保存安定性に影響を与えるため、非常に重要な材料である。
【０００４】
このような感熱転写記録方式に用いられる色材として、イエロー染料、マゼンタ染料、シアン染料を用いた例（特許文献１〜３参照）が報告されている。これらのイエロー染料、マゼンタ染料、シアン染料を用いて作成された各インクシートを使って画像形成を行う。そのためブラックの再現は、これら３色を混合することで得ることができる（プロセスブラック）。高品位なプロセスブラックを得るためには、可視光スペクトルの全領域において均一な吸収をもつ色材の組み合わせを用いる必要がある。しかし、画像の鮮明性、色再現性を求めるほど、非常に急峻かつ幅の狭い吸収スペクトルを有する高彩度な染料を用いるため、混色時に吸収できない波長成分が残り、高品位なブラックを形成できないという問題点があった。
【先行技術文献】
【特許文献】
【０００５】
【特許文献１】特開平０５−２６２０５６号公報
【特許文献２】特開平０７−０９６６７５号公報
【特許文献３】特開平０８−０１１４５０号公報
【発明の概要】
【発明が解決しようとする課題】
【０００６】
本発明の目的は、高彩度な画像を得ることが可能であり、表現可能な色域が広く、かつプロセスブラックで形成したブラック画像が高品位（平均分光反射率が小さい）である感熱転写記録用シートを提供することである。
【課題を解決するための手段】
【０００７】
上記課題は、基材と、該基材上に色材層を有する感熱転写記録用シートであって、該色材層は、イエロー染料を含有するイエロー染料層、マゼンタ染料を含有するマゼンタ染料層、及びシアン染料を含有するシアン染料層とを有し、該マゼンタ染料は、下記一般式（１）で表される化合物を含み、該イエロー染料は、下記一般式（２）で表される化合物を含み、該シアン染料は、下記一般式（３）〜（５）で表される化合物群より選ばれる少なくとも１種の化合物を含むことを特徴とする感熱転写記録用シートを用いることで達成することができる。
【０００８】
【化１】
2015178269.tif 000002
【０００９】
［一般式（１）中、
Ｒ１及びＲ２は、それぞれ独立して、アルキル基を表し、
Ｒ３は、水素原子、アルキル基、無置換のアリール基又は置換基を有するアリール基を表し、
Ｒ４は、アルキル基、無置換のアリール基又は置換基を有するアリール基を表し、
Ｒ５は、水素原子、アルキル基、無置換のアリール基、置換基を有するアリール基又は−Ｎ（−Ｒ６）Ｒ７を表し、Ｒ６及びＲ７は、それぞれ独立して、水素原子、アルキル基又はアシル基を表し、Ｒ６とＲ７とが互いに結合して環を形成してもよい。］
【００１０】
【化２】
2015178269.tif 000003
【００１１】
［一般式（２）中、
Ｒ８は、アルキル基を表し、
Ｒ９は、水素原子又はアルキル基を表し、
Ｒ１０は、アルキル基、無置換のアリール基、置換基を有するアリール基又はアミノ基を表し、
Ｒ１１は、水素原子、シアノ基、カルバモイル基、カルボン酸エステル基又はカルボン酸アミド基を表し、
Ｒ１２は、水素原子、アルキル基、無置換のアリール基、置換基を有するアリール基又は−Ｎ（−Ｒ１３）Ｒ１４を表し、Ｒ１３及びＲ１４は、それぞれ独立して、水素原子、アルキル基又はアシル基を表し、Ｒ１３とＲ１４とが互いに結合して環を形成してもよく、
Ｘは、カルボニル基又はスルホニル基を表し、
ｎは、１〜３の整数を表す。］
【００１２】
【化３】
2015178269.tif 000004
【００１３】
［一般式（３）中、Ｒ１５乃至Ｒ１９は、それぞれ独立して、アルキル基、無置換のアリール基又は置換基を有するアリール基を表す。］
【００１４】
【化４】
2015178269.tif 000005
【００１５】
［一般式（４）中、Ｒ２０及びＲ２１は、それぞれ独立して、アルキル基又はアリール基を表す。］
【００１６】
【化５】
2015178269.tif 000006
【００１７】
［一般式（５）中、Ｒ２２乃至Ｒ２６は、それぞれ独立して、アルキル基又はアリール基を表す。］
【発明の効果】
【００１８】
本発明によれば、高彩度な画像を得ることが可能であり、表現可能な色域が広く、かつプロセスブラックで形成したブラック画像が高品位（平均分光反射率が小さい）である感熱転写記録用シートを提供できる。
【発明を実施するための形態】
【００１９】
以下に、本発明を更に詳細に説明する。
【００２０】
本発明者らは、上記の課題を解決すべく鋭意検討を行った結果、基材と、該基材上に色材層とを有し、該色材層が、イエロー染料を含有するイエロー染料層、マゼンタ染料を含有するマゼンタ染料層、及びシアン染料を含有するシアン染料層とを有する感熱転写記録用シートにおいて、
該マゼンタ染料として、後述する一般式（１）で表される化合物を用い、
イエロー染料として、後述する一般式（２）で表される化合物を用い、
シアン染料として、後述する一般式（３）〜（５）で表される化合物群から選ばれる少なくとも１種の化合物を用いることによって、
高彩度な画像を得ることが可能であり、高い発色性を有しており表現可能な色域が広く、かつプロセスブラックで形成した高品位なブラック画像領域が得られることを見出し本発明に至った。
【００２１】
＜マゼンタ染料＞
一般式（１）で表されるマゼンタ染料について説明する。
【００２２】
【化６】
2015178269.tif 000007
【００２３】
［一般式（１）中、
Ｒ１及びＲ２は、それぞれ独立して、アルキル基を表し、
Ｒ３は、水素原子、アルキル基、無置換のアリール基又は置換基を有するアリール基を表し、
Ｒ４は、アルキル基、無置換のアリール基又は置換基を有するアリール基を表し、
Ｒ５は、水素原子、アルキル基、アリール基又は−Ｎ（−Ｒ６）Ｒ７を表し、Ｒ６及びＲ７は、それぞれ独立して、水素原子、アルキル基又はアシル基を表し、Ｒ６とＲ７とが互いに結合して環を形成してもよい。］
【００２４】
一般式（１）中、Ｒ１及びＲ２におけるアルキル基としては、特に限定されるものではないが、直鎖状、分岐状、もしくは、環状の炭素数１乃至２０個の１級乃至３級のアルキル基が挙げられる。具体的には、メチル基、エチル基、ｎ−プロピル基、ｉｓｏ−プロピル基、ｎ−ブチル基、ｓｅｃ−ブチル基、ｔｅｒｔ−ブチル基、オクチル基、ドデシル基、ノナデシル基、シクロブチル基、シクロペンチル基、シクロヘキシル基、メチルシクロヘキシル基、２−エチルプロピル基、２−エチルヘキシル基が挙げられる。特に、２−エチルヘキシル基の如き分岐状のアルキル基を用いる場合、高彩度、広色域再現性を有し、かつ高品位なプロセスブラックが表現可能となるため好ましい。
【００２５】
一般式（１）中、Ｒ３におけるアルキル基としては、特に限定されるものではないが、直鎖状、分岐状、もしくは、環状の炭素数１乃至２０個の１級乃至３級のアルキル基が挙げられる。具体的には、メチル基、エチル基、ｎ−プロピル基、ｉｓｏ−プロピル基、ｎ−ブチル基、ｓｅｃ−ブチル基、ｔｅｒｔ−ブチル基、オクチル基、ドデシル基、ノナデシル基、シクロブチル基、シクロペンチル基、シクロヘキシル基、メチルシクロヘキシル基、２−エチルプロピル、２−エチルヘキシル基が挙げられる。特に、ｔｅｒｔ−ブチル基の場合、高彩度、広色域再現性を有し、かつ高品位なプロセスブラックが表現可能となるため好ましい。
【００２６】
一般式（１）中、Ｒ３におけるアリール基としては、特に限定されるものではないが、例えば、フェニル基が挙げられる。置換基を有するアリール基における置換基としては、例えば、メチル基、エチル基、メトキシ基が挙げられる。置換基を有するアリール基としては、具体的には、２−メチルフェニル基、３−メチルフェニル基、４−メチルフェニル基、２，６−ジメチルフェニル基、２，６−ジエチルフェニル基、２，６−ジメトキシフェニル基、２，４，６−トリメチルフェニル基、２，４，６−トリエチルフェニル基、３−メトキシフェニル基が挙げられる。
【００２７】
Ｒ３は、フェニル基又はｔｅｒｔ−ブチル基であることがより好ましく、特に高彩度、広色域再現性を有し、かつ高品位なプロセスブラックが表現可能となるため、ｔｅｒｔ−ブチル基が好ましい。
【００２８】
一般式（１）中、Ｒ４におけるアルキル基としては、特に限定されるものではないが、炭素数１乃至４のアルキル基が挙げられる。例えば、メチル基、エチル基、ｎ−プロピル基、ｉｓｏ−プロピル基、ｎ−ブチル基、ｉｓｏ−ブチル基、２−メチルブチル基、２，３，３−トリメチルブチル基が挙げられる。特に、メチル基の場合、高彩度、広色域再現性を有し、かつ高品位なプロセスブラックが表現可能となるため好ましい。
【００２９】
一般式（１）中、Ｒ４におけるアリール基としては、特に限定されるものではないが、例えば、フェニル基が挙げられる。置換基を有するアリール基における置換基としては、例えば、メチル基、メトキシ基が挙げられる。置換基を有するアリール基としては、具体的には、２−メチルフェニル基、３−メチルフェニル基、４−メチルフェニル基、４−メトキシフェニル基、３，５−ジメチルフェニル基が挙げられる。
【００３０】
一般式（１）中、Ｒ５におけるアルキル基としては、特に限定されるものではないが、例えば、メチル基、エチル基、ｎ−プロピル基、ｉｓｏ−プロピル基、ｎ−ブチル基、ｉｓｏ−ブチル基が挙げられる。特に、メチル基の場合、高彩度、広色域再現性を有し、かつ高品位なプロセスブラックが表現可能となるため好ましい。
【００３１】
一般式（１）中、Ｒ５におけるアリール基としては、特に限定されるものではないが、例えば、無置換のフェニル基、置換基を有するフェニル基が挙げられる。
【００３２】
一般式（１）中、Ｒ５が−Ｎ（−Ｒ６）Ｒ７である場合、Ｒ６及びＲ７におけるアルキル基としては、特に限定されるものではないが、例えば、直鎖状、分岐状、もしくは、環状の炭素数１乃至２０個の１級乃至３級のアルキル基が挙げられる。具体的には、メチル基、エチル基、ｎ−プロピル基、ｉｓｏ−プロピル基、ｎ−ブチル基、ｓｅｃ−ブチル基、ｔｅｒｔ−ブチル基、オクチル基、ドデシル基、ノナデシル基、シクロブチル基、シクロペンチル基、シクロヘキシル基、メチルシクロヘキシル基、２−エチルプロピル、２−エチルヘキシル基が挙げられる。特に、メチル基の場合、高彩度、広色域再現性を有し、かつ高品位なプロセスブラックが表現可能となるため好ましい。
【００３３】
一般式（１）中、Ｒ５が−Ｎ（−Ｒ６）Ｒ７である場合、Ｒ６及びＲ７におけるアシル基としては、特に限定されるものではないが、例えば、炭素数２乃至３０の置換もしくは無置換のアルキルカルボニル基、炭素数７乃至３０の置換もしくは無置換のアリールカルボニル基が挙げられる。具体的には、アセチル基、プロピオニル基、ピバロイル基、ベンゾイル基、ナフトイル基が挙げられる。
【００３４】
一般式（１）中、Ｒ５が−Ｎ（−Ｒ６）Ｒ７である場合、Ｒ６及びＲ７における−Ｃ（＝Ｏ）−Ａ（Ａは、ヘテロ環を表す。）としては、２−ピリジルカルボニル基、２−フリルカルボニル基が挙げられる。
【００３５】
一般式（１）中、Ｒ５が−Ｎ（−Ｒ６）Ｒ７である場合、Ｒ６及びＲ７が互いに結合して形成する環としては、特に限定されるものではないが、ピペリジン環、ピペラジン環、モルフォリン環が挙げられる。
【００３６】
特に、Ｒ６、Ｒ７のどちらか少なくとも一方が、アルキル基である場合、耐光性が優れるために好ましい。この場合、メチル基の時が、高彩度、広色域再現性を有し、かつ高品位なプロセスブラックが表現可能となるため好ましい。
【００３７】
一般式（１）で表される構造を有するマゼンタ染料の化合物は、ＷＯ９２／１９６８４号公報に記載されている公知の方法を参考にして合成することが可能である。また、一般式（１）の化合物は、シス−トランス構造異性体があるが、本発明の範疇である。
【００３８】
一般式（１）で表される化合物の好ましい例として、化合物（１）乃至（４３）を以下に示すが、下記の化合物に限定されるものではない。
【００３９】
【化７】
2015178269.tif 000008
【００４０】
【化８】
2015178269.tif 000009
【００４１】
【化９】
2015178269.tif 000010
【００４２】
【化１０】
2015178269.tif 000011
【００４３】
【化１１】
2015178269.tif 000012
【００４４】
【化１２】
2015178269.tif 000013
【００４５】
【化１３】
2015178269.tif 000014
【００４６】
【化１４】
2015178269.tif 000015
【００４７】
【化１５】
2015178269.tif 000016
【００４８】
【化１６】
2015178269.tif 000017
【００４９】
【化１７】
2015178269.tif 000018
【００５０】
【化１８】
2015178269.tif 000019
【００５１】
【化１９】
2015178269.tif 000020
【００５２】
【化２０】
2015178269.tif 000021
【００５３】
【化２１】
2015178269.tif 000022
【００５４】
【化２２】
2015178269.tif 000023
【００５５】
【化２３】
2015178269.tif 000024
【００５６】
【化２４】
2015178269.tif 000025
【００５７】
【化２５】
2015178269.tif 000026
【００５８】
【化２６】
2015178269.tif 000027
【００５９】
これらの中で、化合物（１）〜（２９）がマゼンタ染料として好ましい。更に、化合物（１）、（３）、（４）、（６）、（１０）、（１１）、（１２）、（１３）、（１６）、（２１）、（２２）、（２８）、（２９）がより好ましい。化合物（３）、（４）、（１１）、（１２）、（１３）、（２８）、（２９）が、高彩度、広色域再現性を有し、かつ高品位なプロセスブラックが表現可能となるため、特に好ましい。
【００６０】
＜イエロー染料＞
次に、一般式（２）で表されるイエロー染料について説明する。
【００６１】
【化２７】
2015178269.tif 000028
【００６２】
［一般式（２）中、
Ｒ８は、アルキル基を表し、
Ｒ９は、水素原子又はアルキル基を表し、
Ｒ１０は、アルキル基、無置換のアリール基、置換基を有するアリール基又はアミノ基を表し、
Ｒ１１は、水素原子、シアノ基、カルバモイル基、カルボン酸エステル基又はカルボン酸アミド基を表し、
Ｒ１２は、水素原子、アルキル基、アリール基、又は−Ｎ（−Ｒ１３）Ｒ１４を表し、Ｒ１３及びＲ１４は、それぞれ独立して、水素原子、アルキル基、ホルミル基、アシル基又は−Ｃ（＝Ｏ）−Ａを表し（Ａは、ヘテロ環を表す。）、Ｒ１３及びＲ１４は互いに結合して環を形成してもよく、
Ｘは、カルボニル基又はスルホニル基を表し、
ｎは１〜３の整数を表す。］
一般式（２）中、Ｒ８及びＲ９におけるアルキル基としては、特に限定されるものではないが、直鎖状、分岐状、若しくは、環状の炭素数１〜２０個の１級〜３級のアルキル基が挙げられる。具体的には、メチル基、エチル基、ｎ−プロピル基、ｉｓｏ−プロピル基、ｎ−ブチル基、ｓｅｃ−ブチル基、ｔｅｒｔ−ブチル基、オクチル基、ドデシル基、ノナデシル基、シクロブチル基、シクロペンチル基、シクロヘキシル基、メチルシクロヘキシル基、２−エチルプロピル、２−エチルヘキシル基が挙げられる。
【００６３】
その中でも、Ｒ８及びＲ９がそれぞれ独立して、エチル基、ｎ−ブチル基、ｓｅｃ−ブチル基、ドデシル基、シクロヘキシル基、メチルシクロヘキシル基、２−エチルプロピル、２−エチルヘキシル基であることが、耐光性に優れるため好ましく、より好ましくはｎ−ブチル基または２−エチルヘキシル基である。また、Ｒ８及びＲ９が同一のアルキル基であることが、高彩度、広色域再現性を有し、かつ高品位なプロセスブラックが表現可能となるため好ましい。
【００６４】
一般式（２）中、Ｒ１０におけるアルキル基としては、特に限定されるものではないが、メチル基、エチル基、プロピル基、ブチル基が挙げられる。
【００６５】
一般式（２）中、Ｒ１０における無置換のアリール基としては、特に限定されるものではないが、フェニル基が挙げられる。また、アリール基は置換基を有していても良く、置換基としてはメチル基が挙げられる。
【００６６】
一般式（２）中、Ｒ１０におけるアミノ基としては、特に限定されるものではないが、アミノ基、ジメチルアミノ基が挙げられる。
【００６７】
その中でも、Ｒ１０がアルキル基であることが、高彩度、広色域再現性を有し、かつ高品位なプロセスブラックが表現可能となるため好ましく、より好ましくはメチル基である。
【００６８】
一般式（２）中、Ｒ１１におけるカルボン酸エステル基としては、特に限定されるものではないが、カルボン酸メチルエステル基、カルボン酸エチルエステル基が挙げられる。
【００６９】
一般式（２）中、Ｒ１１におけるカルボン酸アミド基としては、カルボン酸ジメチルアミド基、カルボン酸ジエチルアミド基の如きカルボン酸ジアルキルアミド基、カルボン酸メチルアミド基、カルボン酸エチルアミド基の如きカルボン酸モノアルキルアミド基が挙げられる。
【００７０】
一般式（２）中、Ｒ１１としてはシアノ基であることが高彩度、広色域再現性を有し、かつ高品位なプロセスブラックが表現可能となるため好ましい。
【００７１】
一般式（２）中、Ｒ１２におけるアルキル基としては、特に限定されるものではないが、直鎖状、分岐状、若しくは、環状の炭素数１〜２０個の１級〜３級のアルキル基が挙げられる。具体的には、メチル基、エチル基、ｎ−プロピル基、ｉｓｏ−プロピル基、ｎ−ブチル基、ｓｅｃ−ブチル基、ｔｅｒｔ−ブチル基、オクチル基、ドデシル基、ノナデシル基、シクロブチル基、シクロペンチル基、シクロヘキシル基、メチルシクロヘキシル基、２−エチルプロピル、２−エチルヘキシル基が挙げられる。好ましくは、メチル基、エチル基、ｎ−プロピル基、ｉｓｏ−プロピル基、ｎ−ブチル基、２−エチルヘキシル基であり、特にエチル基、ｎ−プロピル基であることが、高彩度、広色域再現性を有し、かつ高品位なプロセスブラックが表現可能となるため好ましい。
【００７２】
一般式（２）中、Ｒ１２における無置換のアリール基としては、特に限定されるものではないが、フェニル基が挙げられる。またアリール基は、置換基を有しても良く、置換基としてはメチル基が挙げられる。
【００７３】
一般式（２）中、Ｒ１３及びＲ１４におけるアルキル基としては、特に限定されるものではないが、直鎖状、分岐状、若しくは、環状の炭素数１〜２０個の１級〜３級のアルキル基が挙げられる。具体的には、メチル基、エチル基、ｎ−プロピル基、ｉｓｏ−プロピル基、ｎ−ブチル基、ｓｅｃ−ブチル基、ｔｅｒｔ−ブチル基、オクチル基、ドデシル基、ノナデシル基、シクロブチル基、シクロペンチル基、シクロヘキシル基、メチルシクロヘキシル基、２−エチルプロピル、２−エチルヘキシル基が挙げられる。
【００７４】
一般式（２）中、Ｒ１３及びＲ１４におけるアシル基としては、特に限定されるものではないが、アセチル基、エチルヘキシノイル基、ベンゾイル基が挙げられる。
【００７５】
特に、Ｒ１３及びＲ１４のどちらか少なくとも一方が、アルキル基である場合、耐光性が優れるために好ましい。この場合、メチル基の時が、高彩度、広色域再現性を有し、かつ高品位なプロセスブラックが表現可能となるため好ましい。
【００７６】
一般式（２）中、Ｒ１３及びＲ１４が互いに結合して形成する環としては、高彩度、広色域再現性を有し、かつ高品位なプロセスブラックの表現に影響しないならば、特に限定されるものではないが、ピロリジン環、ピペリジン環、アゼパン環、アゾカン環が挙げられる。
【００７７】
一般式（２）中、Ｘとしてはカルボニル基であることが高彩度、広色域再現性を有し、かつ高品位なプロセスブラックが表現可能となるため好ましい。
【００７８】
一般式（２）中、ｎは１〜３の整数を表すが、高彩度、広色域再現性を有し、かつ高品位なプロセスブラックの表現の観点からｎ＝１のときが好ましい。
【００７９】
一般式（２）はアゾ体を示しているが、ヒドラゾ体である互変異性体も本発明の範疇である。
【００８０】
一般式（２）で表される構造を有する化合物は、ＷＯ０８／１１４８８６号公報に記載されている公知の方法を参考にして合成することが可能である。
【００８１】
本発明の一般式（２）で表される化合物の好ましい例として、化合物（４４）乃至（５３）を以下に示すが、下記の化合物に限定されるものではない。
【００８２】
【化２８】
2015178269.tif 000029
【００８３】
【化２９】
2015178269.tif 000030
【００８４】
【化３０】
2015178269.tif 000031
【００８５】
【化３１】
2015178269.tif 000032
【００８６】
【化３２】
2015178269.tif 000033
【００８７】
【化３３】
2015178269.tif 000034
【００８８】
【化３４】
2015178269.tif 000035
【００８９】
【化３５】
2015178269.tif 000036
【００９０】
【化３６】
2015178269.tif 000037
【００９１】
【化３７】
2015178269.tif 000038
【００９２】
【化３８】
2015178269.tif 000039
【００９３】
【化３９】
2015178269.tif 000040
【００９４】
これらの中で、化合物（４４）、（４５）、（４８）、（４９）、（５０）、（５１）、（１３３）、（１３４）がイエロー染料として好ましい。更に、化合物（５０）、（５１）、（１３３）、（１３４）が、高彩度、広色域再現性を有し、かつ高品位なプロセスブラックが表現可能となるため、より好ましい。
【００９５】
その他、イエロー調色用として、既存のイエロー染料を使用することができる。例えば、化合物（１３５）、（１３６）を示すが、これらに限定されるものではない。
【００９６】
【化４０】
2015178269.tif 000041
【００９７】
【化４１】
2015178269.tif 000042
【００９８】
＜シアン染料＞
次に、一般式（３）で表されるシアン染料について説明する。
【００９９】
【化４２】
2015178269.tif 000043
【０１００】
［一般式（３）中、Ｒ１５乃至Ｒ１９は、それぞれ独立して、アルキル基、無置換のアリール基又は置換基を有するアリール基を表す。］
【０１０１】
一般式（３）中、Ｒ１５乃至Ｒ１９におけるアルキル基としては、特に限定されるものではないが、直鎖状、分岐状、もしくは、環状の炭素数１乃至２０個の１級乃至３級のアルキル基が挙げられる。具体的には、メチル基、エチル基、ｎ−プロピル基、ｉｓｏ−プロピル基、ｎ−ブチル基、ｓｅｃ−ブチル基、ｔｅｒｔ−ブチル基、オクチル基、ドデシル基、ノナデシル基、シクロブチル基、シクロペンチル基、シクロヘキシル基、メチルシクロヘキシル基、２−エチルプロピル、２−エチルヘキシル基が挙げられる。特に、メチル基、エチル基の如き炭素数１〜２個のアルキル基を用いる場合、高彩度、広色域再現性を有し、かつ高品位なプロセスブラックが表現可能となるため好ましい。
【０１０２】
一般式（３）中、Ｒ１５乃至Ｒ１９におけるアリール基としては、特に限定されるものではないが、例えば、フェニル基、ナフチル基が挙げられる。特に、フェニル基を用いる場合、高彩度、広色域再現性を有し、かつ高品位なプロセスブラックが表現可能となるため好ましい。
【０１０３】
本発明の一般式（３）で表される化合物の好ましい例として、化合物（５４）乃至（６０）を以下に示すが、下記の化合物に限定されるものではない。
【０１０４】
【化４３】
2015178269.tif 000044
【０１０５】
【化４４】
2015178269.tif 000045
【０１０６】
【化４５】
2015178269.tif 000046
【０１０７】
【化４６】
2015178269.tif 000047
【０１０８】
【化４７】
2015178269.tif 000048
【０１０９】
【化４８】
2015178269.tif 000049
【０１１０】
【化４９】
2015178269.tif 000050
【０１１１】
これらの中で、化合物（５４）、（５５）、（５６）がシアン染料として好ましい。更に、化合物（５５）が、高彩度、広色域再現性を有し、かつ高品位なプロセスブラックが表現可能となるため、より好ましい。
【０１１２】
次に、一般式（４）で表されるシアン染料について説明する。
【０１１３】
【化５０】
2015178269.tif 000051
【０１１４】
［一般式（４）中、Ｒ２０及びＲ２１は、それぞれ独立して、アルキル基、無置換のアリール基又は置換基を有するアリール基を表す。］
【０１１５】
一般式（４）中、Ｒ２０及びＲ２１におけるアルキル基としては、特に限定されるものではないが、直鎖状、分岐状、もしくは、環状の炭素数１乃至２０個の１級乃至３級のアルキル基が挙げられる。具体的には、メチル基、エチル基、ｎ−プロピル基、ｉｓｏ−プロピル基、ｎ−ブチル基、ｓｅｃ−ブチル基、ｔｅｒｔ−ブチル基、オクチル基、ドデシル基、ノナデシル基、シクロブチル基、シクロペンチル基、シクロヘキシル基、メチルシクロヘキシル基、２−エチルプロピル、２−エチルヘキシル基が挙げられる。特に、メチル基、エチル基の如き炭素数１〜２個のアルキル基を用いる場合、高彩度、広色域再現性を有し、かつ高品位なプロセスブラックが表現可能となるため好ましい。
【０１１６】
一般式（４）中、Ｒ２０及びＲ２１におけるアリール基としては、特に限定されるものではないが、例えば、フェニル基、ナフチル基が挙げられる。特に、フェニル基を用いる場合、高彩度、広色域再現性を有し、かつ高品位なプロセスブラックが表現可能となるため好ましい。アリール基が置換基を有する場合、置換基としては、アルキル基が挙げられる。
【０１１７】
本発明の一般式（４）で表される化合物の好ましい例として、化合物（６１）乃至（６６）を以下に示すが、下記の化合物に限定されるものではない。
【０１１８】
【化５１】
2015178269.tif 000052
【０１１９】
【化５２】
2015178269.tif 000053
【０１２０】
【化５３】
2015178269.tif 000054
【０１２１】
【化５４】
2015178269.tif 000055
【０１２２】
【化５５】
2015178269.tif 000056
【０１２３】
【化５６】
2015178269.tif 000057
【０１２４】
これらの中で、化合物（６２）、（６３）、（６４）がシアン染料として好ましい。更に、化合物（６３）が、高彩度、広色域再現性を有し、かつ高品位なプロセスブラックが表現可能となるため、より好ましい。
【０１２５】
次に、一般式（５）で表されるシアン染料について説明する。
【０１２６】
【化５７】
2015178269.tif 000058
【０１２７】
［一般式（５）中、Ｒ２２乃至Ｒ２６は、それぞれ独立して、アルキル基、無置換のアリール基又は置換基を有するアリール基を表す。］
【０１２８】
一般式（５）中、Ｒ２２乃至Ｒ２６におけるアルキル基としては、特に限定されるものではないが、直鎖状、分岐状、もしくは、環状の炭素数１乃至２０個の１級乃至３級のアルキル基が挙げられる。具体的には、メチル基、エチル基、ｎ−プロピル基、ｉｓｏ−プロピル基、ｎ−ブチル基、ｓｅｃ−ブチル基、ｔｅｒｔ−ブチル基、オクチル基、ドデシル基、ノナデシル基、シクロブチル基、シクロペンチル基、シクロヘキシル基、メチルシクロヘキシル基、２−エチルプロピル、２−エチルヘキシル基が挙げられる。特に、メチル基、エチル基の如き炭素数１〜２個のアルキル基を用いる場合、高彩度、広色域再現性を有し、かつ高品位なプロセスブラックが表現可能となるため好ましい。
【０１２９】
一般式（５）中、Ｒ２２乃至Ｒ２６におけるアリール基としては、特に限定されるものではないが、例えば、フェニル基、ナフチル基が挙げられる。特に、フェニル基を用いる場合、高彩度、広色域再現性を有し、かつ高品位なプロセスブラックが表現可能となるため好ましい。
【０１３０】
本発明の一般式（５）で表される化合物の好ましい例として、化合物（６７）乃至（７２）を以下に示すが、下記の化合物に限定されるものではない。
【０１３１】
【化５８】
2015178269.tif 000059
【０１３２】
【化５９】
2015178269.tif 000060
【０１３３】
【化６０】
2015178269.tif 000061
【０１３４】
【化６１】
2015178269.tif 000062
【０１３５】
【化６２】
2015178269.tif 000063
【０１３６】
【化６３】
2015178269.tif 000064
【０１３７】
これらの中で、化合物（６７）、（６８）、（７２）がシアン染料として好ましい。更に、化合物（６７）が、高彩度、広色域再現性を有し、かつ高品位なプロセスブラックが表現可能となるため、より好ましい。
【０１３８】
＜マゼンタ染料＞
次に、一般式（６）で表されるマゼンタ染料について説明する。
【０１３９】
【化６４】
2015178269.tif 000065
【０１４０】
［一般式（６）中、Ｒ２７は、アルキル基、無置換のアリール基、置換基を有するアリール基又は−（Ｒ４７−Ｏ）ｎ−Ｒ４８を表し、Ｒ４７はアルキレンを表し、Ｒ４８はアルキル基を表す。］
一般式（６）中、Ｒ２７におけるアルキル基としては、特に限定されるものではないが、直鎖状、分岐状、もしくは、環状の炭素数１乃至２０個の１級乃至３級のアルキル基が挙げられる。具体的には、メチル基、エチル基、ｎ−プロピル基、ｉｓｏ−プロピル基、ｎ−ブチル基、ｓｅｃ−ブチル基、ｔｅｒｔ−ブチル基、オクチル基、ドデシル基、ノナデシル基、シクロブチル基、シクロペンチル基、シクロヘキシル基、メチルシクロヘキシル基、２−エチルプロピル、２−エチルヘキシル基が挙げられる。特に、メチル基、エチル基等の炭素数１〜２個のアルキル基を用いる場合、高彩度、広色域再現性を有し、かつ高品位なプロセスブラックが表現可能となるため好ましい。
【０１４１】
一般式（６）中、Ｒ２７におけるアリール基としては、特に限定されるものではないが、例えば、フェニル基、ナフチル基が挙げられる。特に、フェニル基を用いる場合、高彩度、広色域再現性を有し、かつ高品位なプロセスブラックが表現可能となるため好ましい。アリール基が置換基を有する場合、置換基としては、アルキル基、アルコキシ基が挙げられる。
【０１４２】
一般式（６）中、Ｒ３３における−（Ｒ４７−Ｏ）ｎ−Ｒ４８としては、特に限定されるものではないが、炭素数の合計が２０以下であるものが好ましい。
【０１４３】
一般式（６）で表される化合物の好ましい例として、化合物（７３）乃至（８１）を以下に示すが、下記の化合物に限定されるものではない。
【０１４４】
【化６５】
2015178269.tif 000066
【０１４５】
【化６６】
2015178269.tif 000067
【０１４６】
【化６７】
2015178269.tif 000068
【０１４７】
【化６８】
2015178269.tif 000069
【０１４８】
【化６９】
2015178269.tif 000070
【０１４９】
【化７０】
2015178269.tif 000071
【０１５０】
【化７１】
2015178269.tif 000072
【０１５１】
【化７２】
2015178269.tif 000073
【０１５２】
【化７３】
2015178269.tif 000074
【０１５３】
これらの中で、化合物（７３）、（７４）、（７５）、（７６）、（７７）がマゼンタ染料として好ましい。更に、化合物（７３）、（７５）が、高彩度、広色域再現性を有し、かつ高品位なプロセスブラックが表現可能となるため、より好ましい。
【０１５４】
次に、一般式（７）で表されるマゼンタ染料について説明する。
【０１５５】
【化７４】
2015178269.tif 000075
【０１５６】
［一般式（７）中、Ｒ２８及びＲ２９は、それぞれ独立して、アルキル基、無置換のアリール基又は置換基を有するアリール基を表す。］
【０１５７】
一般式（７）中、Ｒ２８及びＲ２９におけるアルキル基としては、特に限定されるものではないが、直鎖状、分岐状、もしくは、環状の炭素数１乃至２０個の１級乃至３級のアルキル基が挙げられる。具体的には、メチル基、エチル基、ｎ−プロピル基、ｉｓｏ−プロピル基、ｎ−ブチル基、ｓｅｃ−ブチル基、ｔｅｒｔ−ブチル基、オクチル基、ドデシル基、ノナデシル基、シクロブチル基、シクロペンチル基、シクロヘキシル基、メチルシクロヘキシル基、２−エチルプロピル、２−エチルヘキシル基が挙げられる。特に、メチル基、エチル基等の炭素数１〜２個のアルキル基を用いる場合、高彩度、広色域再現性を有し、かつ高品位なプロセスブラックが表現可能となるため好ましい。
【０１５８】
一般式（７）中、Ｒ２８及びＲ２９におけるアリール基としては、特に限定されるものではないが、例えば、フェニル基、ナフチル基が挙げられる。特に、フェニル基を用いる場合、高彩度、広色域再現性を有し、かつ高品位なプロセスブラックが表現可能となるため好ましい。アリール基が置換基を有する場合、置換基としては、アルキル基が挙げられる。
【０１５９】
一般式（７）で表される好ましい化合物の例として、化合物（８２）乃至（９０）を以下に示すが、下記の化合物に限定されるものではない。
【０１６０】
【化７５】
2015178269.tif 000076
【０１６１】
【化７６】
2015178269.tif 000077
【０１６２】
【化７７】
2015178269.tif 000078
【０１６３】
【化７８】
2015178269.tif 000079
【０１６４】
【化７９】
2015178269.tif 000080
【０１６５】
【化８０】
2015178269.tif 000081
【０１６６】
【化８１】
2015178269.tif 000082
【０１６７】
【化８２】
2015178269.tif 000083
【０１６８】
【化８３】
2015178269.tif 000084
【０１６９】
これらの中で、化合物（８４）、（８５）、（８６）、（８７）、（８８）、（８９）がマゼンタ染料として好ましい。更に、化合物（８４）、（８８）、（８９）が、高彩度、広色域再現性を有し、かつ高品位なプロセスブラックが表現可能となるため、より好ましい。
【０１７０】
次に、一般式（８）で表されるマゼンタ染料について説明する。
【０１７１】
【化８４】
2015178269.tif 000085
【０１７２】
［一般式（８）中、Ｒ３０乃至Ｒ３４は、それぞれ独立して、アルキル基、無置換のアリール基又は置換基を有するアリール基を表す。］
【０１７３】
一般式（８）中、Ｒ３０乃至Ｒ３４におけるアルキル基としては、特に限定されるものではないが、直鎖状、分岐状、もしくは、環状の炭素数１乃至２０個の１級乃至３級のアルキル基が挙げられる。具体的には、メチル基、エチル基、ｎ−プロピル基、ｉｓｏ−プロピル基、ｎ−ブチル基、ｓｅｃ−ブチル基、ｔｅｒｔ−ブチル基、オクチル基、ドデシル基、ノナデシル基、シクロブチル基、シクロペンチル基、シクロヘキシル基、メチルシクロヘキシル基、２−エチルプロピル、２−エチルヘキシル基が挙げられる。特に、メチル基、エチル基の如き炭素数１〜２個のアルキル基を用いる場合、高彩度、広色域再現性を有し、かつ高品位なプロセスブラックが表現可能となるため好ましい。
【０１７４】
一般式（８）中、Ｒ３０乃至Ｒ３４におけるアリール基としては、特に限定されるものではないが、例えば、フェニル基、ナフチル基が挙げられる。特に、フェニル基を用いる場合、高彩度、広色域再現性を有し、かつ高品位なプロセスブラックが表現可能となるため好ましい。アリール基が置換基を有する場合、置換基としては、アルキル基、アルコキシ基が挙げられる。
【０１７５】
一般式（８）で表される化合物の好ましい例として、化合物（９１）乃至（９９）を以下に示すが、下記の化合物に限定されるものではない。
【０１７６】
【化８５】
2015178269.tif 000086
【０１７７】
【化８６】
2015178269.tif 000087
【０１７８】
【化８７】
2015178269.tif 000088
【０１７９】
【化８８】
2015178269.tif 000089
【０１８０】
【化８９】
2015178269.tif 000090
【０１８１】
【化９０】
2015178269.tif 000091
【０１８２】
【化９１】
2015178269.tif 000092
【０１８３】
【化９２】
2015178269.tif 000093
【０１８４】
【化９３】
2015178269.tif 000094
【０１８５】
これらの中で、化合物（９３）、（９４）、（９５）、（９６）、（９７）がマゼンタ染料として好ましく、化合物（９４）、（９５）、（９６）が、高彩度、広色域再現性を有し、かつ高品位なプロセスブラックが表現可能となるため、より好ましい。
【０１８６】
次に、一般式（９）で表されるマゼンタ染料について説明する。
【０１８７】
【化９４】
2015178269.tif 000095
【０１８８】
［一般式（９）中、Ｒ３５乃至Ｒ３８は、それぞれ独立して、アルキル基、無置換のアリール基又は置換基を有するアリール基を表す。］
【０１８９】
一般式（９）中、Ｒ３５乃至Ｒ３８におけるアルキル基としては、特に限定されるものではないが、直鎖状、分岐状、もしくは、環状の炭素数１乃至２０個の１級乃至３級のアルキル基が挙げられる。具体的には、メチル基、エチル基、ｎ−プロピル基、ｉｓｏ−プロピル基、ｎ−ブチル基、ｓｅｃ−ブチル基、ｔｅｒｔ−ブチル基、オクチル基、ドデシル基、ノナデシル基、シクロブチル基、シクロペンチル基、シクロヘキシル基、メチルシクロヘキシル基、２−エチルプロピル、２−エチルヘキシル基が挙げられる。特に、メチル基、エチル基等の炭素数１〜２個のアルキル基を用いる場合、高彩度、広色域再現性を有し、かつ高品位なプロセスブラックが表現可能となるため好ましい。
【０１９０】
一般式（９）中、Ｒ３５乃至Ｒ３８におけるアリール基としては、特に限定されるものではないが、例えば、フェニル基、ナフチル基が挙げられる。特に、フェニル基を用いる場合、高彩度、広色域再現性を有し、かつ高品位なプロセスブラックが表現可能となるため好ましい。アリール基が置換基を有する場合、置換基としては、アルキル基が挙げられる。
【０１９１】
一般式（９）で表される化合物の好ましい例として、化合物（１００）乃至（１０８）を以下に示すが、下記の化合物に限定されるものではない。
【０１９２】
【化９５】
2015178269.tif 000096
【０１９３】
【化９６】
2015178269.tif 000097
【０１９４】
【化９７】
2015178269.tif 000098
【０１９５】
【化９８】
2015178269.tif 000099
【０１９６】
【化９９】
2015178269.tif 000100
【０１９７】
【化１００】
2015178269.tif 000101
【０１９８】
【化１０１】
2015178269.tif 000102
【０１９９】
【化１０２】
2015178269.tif 000103
【０２００】
【化１０３】
2015178269.tif 000104
【０２０１】
これらの中で、化合物（１００）、（１０２）、（１０３）、（１０４）がマゼンタ染料として好ましい。化合物（１０２）の場合、高彩度、広色域再現性を有し、かつ高品位なプロセスブラックが表現可能となるため、より好ましい。
【０２０２】
＜イエロー染料＞
次に、一般式（１０）で表されるイエロー染料について説明する。
【０２０３】
【化１０４】
2015178269.tif 000105
【０２０４】
［一般式（１０）中、Ｒ３９乃至Ｒ４２は、それぞれ独立して、アルキル基、無置換のアリール基又は置換基を有するアリール基を表す。］
【０２０５】
一般式（１０）中、Ｒ３９乃至Ｒ４２におけるアルキル基としては、特に限定されるものではないが、直鎖状、分岐状、もしくは、環状の炭素数１乃至２０個の１級乃至３級のアルキル基が挙げられる。具体的には、メチル基、エチル基、ｎ−プロピル基、ｉｓｏ−プロピル基、ｎ−ブチル基、ｓｅｃ−ブチル基、ｔｅｒｔ−ブチル基、オクチル基、ドデシル基、ノナデシル基、シクロブチル基、シクロペンチル基、シクロヘキシル基、メチルシクロヘキシル基、２−エチルプロピル、２−エチルヘキシル基が挙げられる。特に、メチル基、エチル基の如き炭素数１〜２個のアルキル基を用いる場合、高彩度、広色域再現性を有し、かつ高品位なプロセスブラックが表現可能となるため好ましい。
【０２０６】
一般式（１０）中、Ｒ３９乃至Ｒ４２におけるアリール基としては、特に限定されるものではないが、例えば、フェニル基、ナフチル基が挙げられる。特に、フェニル基を用いる場合、高彩度、広色域再現性を有し、かつ高品位なプロセスブラックが表現可能となるため好ましい。アリール基が置換基を有する場合、置換基としては、アルキル基、アルコキシ基が挙げられる。
【０２０７】
一般式（１０）で表される化合物の好ましい例として、化合物（１０９）乃至（１１８）を以下に示すが、下記の化合物に限定されるものではない。
【０２０８】
【化１０５】
2015178269.tif 000106
【０２０９】
【化１０６】
2015178269.tif 000107
【０２１０】
【化１０７】
2015178269.tif 000108
【０２１１】
【化１０８】
2015178269.tif 000109
【０２１２】
【化１０９】
2015178269.tif 000110
【０２１３】
【化１１０】
2015178269.tif 000111
【０２１４】
【化１１１】
2015178269.tif 000112
【０２１５】
【化１１２】
2015178269.tif 000113
【０２１６】
【化１１３】
2015178269.tif 000114
【０２１７】
【化１１４】
2015178269.tif 000115
【０２１８】
これらの中で、化合物（１１１）、（１１２）、（１１３）、（１１４）がイエロー染料として好ましい。化合物（１１１）の場合、高彩度、広色域再現性を有し、かつ高品位なプロセスブラックが表現可能となるため、より好ましい。
【０２１９】
次に、一般式（１１）で表されるイエロー染料について説明する。
【０２２０】
【化１１５】
2015178269.tif 000116
【０２２１】
［一般式（１１）中、Ｒ４３及びＲ４４は、それぞれ独立して、アルキル基、無置換のアリール基又は置換基を有するアリール基を表す。］
【０２２２】
一般式（１１）中、Ｒ４３及びＲ４４におけるアルキル基としては、特に限定されるものではないが、直鎖状、分岐状、もしくは、環状の炭素数１乃至２０個の１級乃至３級のアルキル基が挙げられる。具体的には、メチル基、エチル基、ｎ−プロピル基、ｉｓｏ−プロピル基、ｎ−ブチル基、ｓｅｃ−ブチル基、ｔｅｒｔ−ブチル基、オクチル基、ドデシル基、ノナデシル基、シクロブチル基、シクロペンチル基、シクロヘキシル基、メチルシクロヘキシル基、２−エチルプロピル、２−エチルヘキシル基が挙げられる。特に、メチル基、エチル基の如き炭素数１〜２個のアルキル基を用いる場合、高彩度、広色域再現性を有し、かつ高品位なプロセスブラックが表現可能となるため好ましい。
【０２２３】
一般式（１１）中、Ｒ４３及びＲ４４におけるアリール基としては、特に限定されるものではないが、例えば、フェニル基、ナフチル基が挙げられる。特に、フェニル基を用いる場合、高彩度、広色域再現性を有し、かつ高品位なプロセスブラックが表現可能となるため好ましい。アリール基が置換基を有する場合、置換基としては、アルキル基が挙げられる。
【０２２４】
一般式（１１）で表される化合物の好ましい例として、化合物（１１９）乃至（１２７）を以下に示すが、下記の化合物に限定されるものではない。
【０２２５】
【化１１６】
2015178269.tif 000117
【０２２６】
【化１１７】
2015178269.tif 000118
【０２２７】
【化１１８】
2015178269.tif 000119
【０２２８】
【化１１９】
2015178269.tif 000120
【０２２９】
【化１２０】
2015178269.tif 000121
【０２３０】
【化１２１】
2015178269.tif 000122
【０２３１】
【化１２２】
2015178269.tif 000123
【０２３２】
【化１２３】
2015178269.tif 000124
【０２３３】
【化１２４】
2015178269.tif 000125
【０２３４】
これらの中で、化合物（１２４）、（１２５）、（１２６）がイエロー染料として好ましい。化合物（１２５）の場合、高彩度、広色域再現性を有し、かつ高品位なプロセスブラックが表現可能となるため、より好ましい。
【０２３５】
次に、一般式（１２）で表されるイエロー染料について説明する。
【０２３６】
【化１２５】
2015178269.tif 000126
【０２３７】
［一般式（１２）中、Ｒ４５及びＲ４６は、それぞれ独立して、アルキル基、無置換のアリール基又は置換基を有するアリール基を表す。］
【０２３８】
一般式（１２）中、Ｒ４５及びＲ４６におけるアルキル基としては、特に限定されるものではないが、直鎖状、分岐状、もしくは、環状の炭素数１乃至２０個の１級乃至３級のアルキル基が挙げられる。具体的には、メチル基、エチル基、ｎ−プロピル基、ｉｓｏ−プロピル基、ｎ−ブチル基、ｓｅｃ−ブチル基、ｔｅｒｔ−ブチル基、オクチル基、ドデシル基、ノナデシル基、シクロブチル基、シクロペンチル基、シクロヘキシル基、メチルシクロヘキシル基、２−エチルプロピル、２−エチルヘキシル基が挙げられる。特に、メチル基、エチル基の如き炭素数１〜２個のアルキル基を用いる場合、高彩度、広色域再現性を有し、かつ高品位なプロセスブラックが表現可能となるため好ましい。
【０２３９】
一般式（１２）中、Ｒ４５及びＲ４６におけるアリール基としては、特に限定されるものではないが、例えば、フェニル基、ナフチル基が挙げられる。特に、フェニル基を用いる場合、高彩度、広色域再現性を有し、かつ高品位なプロセスブラックが表現可能となるため好ましい。
【０２４０】
一般式（１２）で表される化合物の好ましい例として、化合物（１２８）乃至（１３２）を以下に示すが、下記の化合物に限定されるものではない。
【０２４１】
【化１２６】
2015178269.tif 000127
【０２４２】
【化１２７】
2015178269.tif 000128
【０２４３】
【化１２８】
2015178269.tif 000129
【０２４４】
【化１２９】
2015178269.tif 000130
【０２４５】
【化１３０】
2015178269.tif 000131
【０２４６】
これらの中で、化合物（１３１）、（１３２）がイエロー染料として好ましい。化合物（１３１）が、高彩度、広色域再現性を有し、かつ高品位なプロセスブラックが表現可能となるため、より好ましい。
【０２４７】
＜感熱転写記録用シート＞
本発明の感熱転写記録用シートは、基材上に、イエロー染料を含有するイエロー染料層とマゼンタ染料を含有するマゼンタ染料層とシアン染料を含有するシアン染料層とを少なくとも含む色材層を有する熱転写シートである。
【０２４８】
感熱転写記録用シート用いた画像形成は、色材受容層を表面に有する受像シートと重ね合わせ、感熱転写記録用シートをサーマルヘッドなどの加熱方法を用いて加熱することにより、シート中の色材を昇華させて受像シートに転写することにより行われる。
【０２４９】
以下、本発明の感熱転写記録用シートの構成について説明する。
【０２５０】
＜基材＞
本発明による感熱転写シートを構成する基材は、後述する色材層を支持するものであり、公知の基材を用いることができる。従来公知のある程度の耐熱性と強度を有するものであれば特に限定されるわけではないが、例えば、ポリエチレンテレフタレートフィルム、ポリエチレンナフタレートフィルム、ポリカーボネートフィルム、ポリイミドフィルム、ポリアミドフィルム、アラミドフィルム、ポリスチレンフィルム、１，４−ポリシクロヘキシレンジメチレンテレフタレートフィルム、ポリサルホンフィルム、ポリプロピレンフィルム、ポリフェニレンサルフィドフィルム、ポリビニルアルコールフィルム、セロハン、セルロース誘導体、ポリエチレンフィルム、ポリ塩化ビニルフィルム、ナイロンフィルム、コンデンサー紙、パラフィン紙が挙げられる。
【０２５１】
特に、ポリエチレンテレフタレートフィルムが、機械的強度、耐溶剤性、および、経済性の点でさらに好ましい。
【０２５２】
上記、基材の厚さは、０．５乃至５０μｍであり、好ましくは、３乃至１０μｍであることが、転写性の点から好ましい。
【０２５３】
基材は、必要に応じ、その一方の面または、両面に接着処理を行うことが好ましい。基材上に色材層を形成するために染料インキを塗布する場合、塗工液の濡れ性、接着性等が不足しやすいため、通常、接着処理を行うことが好ましい。
【０２５４】
接着処理としては、特に限定されるわけではないが、例えば、オゾン処理、コロナ放電処理、紫外線処理、プラズマ処理、低温プラズマ処理、プライマー処理、化学薬品処理等を挙げることができる。また、これらの処理を２つ以上組み合わせて行っても良い。
【０２５５】
上記基材の接着処理には、基材上に、接着層を塗工しても良い。
【０２５６】
接着層としては、特に限定されるものではないが、例えば、ポリエステル樹脂、ポリスチレン樹脂、ポリアクリル酸エステル樹脂、ポリアミド樹脂、ポリエーテル樹脂、ポリ酢酸ビニル樹脂、ポリエチレン樹脂、ポリプロピレン樹脂、ポリ塩化ビニル樹脂、ポリビニルアルコール樹脂、ポリビニルブチラール樹脂の如き有機材料、シリカ、アルミナ、炭酸マグネシウム、酸化マグネシウム、酸化チタンの如き無機微粒子が挙げられる。
【０２５７】
＜色材層＞
本発明の感熱転写記録用シートは、基材上に、色材層として、少なくとも、イエロー染料層とマゼンタ染料層とシアン染料層とを形成したものである。感熱転写記録用シートは、染料層として、従来公知のブラック染料層を追加しても良い。
【０２５８】
本発明の感熱転写記録用シートにおいては、特に限定されるわけではないが、基材上に面順次に各染料層が形成される。例えば、基材シート上に、基材シートの移動方向に沿って、イエロー染料層、マゼンタ染料層、シアン染料層を繰り返し作成することができる。この感熱転写記録用シートを用いた場合には、先ず、イエロー画像が形成され、次いで、マゼンタ画像、更に、シアン画像という順序で一連の画像形成が行われ、１つのフルカラーの画像が形成される。そして、この一連の画像形成が繰り返されることになる。さらに、これら複数の染料層に加え、転写性保護層を面順次に追加もできる。また、熱溶融性ブラック層を追加しても良い。
【０２５９】
そして、マゼンタ染料層に含有させるマゼンタ染料として、一般式（１）で表される化合物を用い、イエロー染料層に含有させるイエロー染料として、一般式（２）で表される化合物を用い、シアン染料層に含有させるシアン染料として、一般式（３）〜（５）で表される化合物群から選ばれる少なくとも１種の化合物を用いる。
【０２６０】
本発明では、一般式（１）で表されるマゼンタ染料と、一般式（２）で表されるイエロー染料とを併用することが最大の特徴であり、これらを併用することによって、表現可能な色域が広がる。
【０２６１】
また、マゼンタ染料層に含有させるマゼンタ染料として、一般式（６）〜（９）で表される化合物を併用してもよい。更に、イエロー染料層に含有させるイエロー染料として、下記一般式（１０）〜（１３）で表される化合物を併用してもよい。
【０２６２】
マゼンタ染料として一般式（６）〜（９）で表される化合物を、イエロー染料として一般式（１０）〜（１２）で表される化合物を併用することにより、更に高品位なプロセスブラックが表現可能となる。
【０２６３】
また、上記染料に、従来、熱転写用として公知で用いられている染料であって、熱で昇華移行するものであれば、特に限定されず、色相、印画感度、耐光性、保存性、バインダーへの溶解性等を考慮して適宜選択して併せて用いることができる。
【０２６４】
各染料層を形成する方法は特に限定されるものではないが、通常、各染料色素と結着樹脂とを含有するものであって、以下のようにして製造される。
【０２６５】
上記特定の染料、結着樹脂、必要に応じて界面活性剤、ワックスを、媒体中に撹拌しながら徐々に加え、十分に媒体になじませる。さらに、分散機により機械的剪断力を加えることで上記組成物を安定して溶解または微粒子状に分散させ、インクを調製する。次に該インクを、基材であるベースフィルムに塗布、乾燥することにより基材上に染料層を作製することができる。上記インクの塗布量としては、色材層の乾燥後の厚さが０．１〜５μｍの範囲となるように塗布することが、転写性の点で好ましい。
【０２６６】
上記製造方法に用いることができる媒体としては、特に限定されるものではないが、例えば、水または有機溶剤が挙げられる。有機溶剤としては、メタノール、エタノール、イソプロパノールおよびイソブタノールの如きアルコール類、メチルセロソルブおよびエチルセロソルブの如きセロソルブ類、トルエン、キシレンおよびクロロベンゼンの如き芳香族炭化水素類、酢酸エチルおよび酢酸ブチルの如きエステル類、アセトン、メチルエチルケトン、メチルイソブチルケトンおよびシクロヘキサノンの如きケトン類、塩化メチレン、クロロホルムおよびトリクロロエチレンの如きハロゲン化炭化水素類、テトラヒドロフランおよびジオキサンの如きエーテル類、Ｎ，Ｎ−ジメチルホルムアミド、Ｎ−メチルピロリドンが好ましく用いられる。上記有機溶剤は単独で用いても良いし、もしくは必要に応じて２種類以上組み合わせて用いてもよい。
【０２６７】
本発明で用いる各色染料の使用量は、結着樹脂１００質量部に対して、５０〜３００質量部であり、好ましくは、８０〜２８０質量部であり、更に、８５〜２５０質量部であると転写性の点で好ましい。上記使用量は、染料を２種以上、混合して用いる場合は、各染料色素の合計量の質量部に相当する。
【０２６８】
本発明で用いる結着樹脂としては、様々な樹脂が挙げられる。その中でも、セルロース樹脂、ポリアクリル酸樹脂、澱粉樹脂、および、エポキシ樹脂の如き水溶性樹脂、並びに、ポリアクリレート樹脂、ポリメタクリレート樹脂、ポリスチレン樹脂、ポリカーボネート樹脂、ポリエーテルスルホン樹脂、ポリビニルブチラール樹脂、エチルセルロース樹脂、アセチルセルロース樹脂、ポリエステル樹脂、ＡＳ樹脂、および、フェノキシ樹脂の如き有機溶剤可溶性の樹脂であることが好ましい。これらの樹脂は、単独で用いても良いし、もしくは必要に応じて２種類以上組み合わせて用いてもいてもよい。
【０２６９】
［その他の成分］
また本発明の感熱転写記録用シートにおいては、サーマルヘッド加熱時（印画時）に十分な滑性を持たせるために、界面活性剤を含有させてもよい。添加することができる界面活性剤としては、カチオン界面活性剤、アニオン界面活性剤、ノニオン界面活性剤が挙げられる。
【０２７０】
上記カチオン界面活性剤としては、ドデシルアンモニウムクロライド、ドデシルアンモニウムブロマイド、ドデシルトリメチルアンモニウムブロマイド、ドデシルピリジニウムクロライド、ドデシルピリジニウムブロマイド、ヘキサデシルトリメチルアンモニウムブロマイドが挙げられる。
【０２７１】
上記アニオン界面活性剤としては、ステアリン酸ナトリウム、ドデカン酸ナトリウムの如き脂肪酸石鹸、ドデシル硫酸ナトリウム、ドデシルベンゼン硫酸ナトリウム、ラウリル硫酸ナトリウムが挙げられる。
【０２７２】
上記ノニオン界面活性剤としては、ドデシルポリオキシエチレンエーテル、ヘキサデシルポリオキシエチレンエーテル、ノニルフェニルポリオキシエチレンエーテル、ラウリルポリオキシエチレンエーテル、ソルビタンモノオレアートポリオキシエチレンエーテル、モノデカノイルショ糖が挙げられる。
【０２７３】
本発明の感熱転写記録用シートにおいては、サーマルヘッド非加熱時に十分な滑性を持たせるために、ワックスを含有させてもよい。添加することができるワックスとしては、ポリエチレンワックス、パラフィンワックス、脂肪酸エステルワックスが挙げられるが、これらに限定されるものではない。
【０２７４】
本発明の感熱転写シートには、上記した添加物以外にも、必要に応じて、紫外線吸収剤、防腐剤、酸化防止剤帯電防止剤、粘度調整剤を添加しても良い。
【０２７５】
本発明の感熱転写記録用シートにおいては、耐熱性やサーマルヘッドの走行性を向上させる目的で、基材の色材層がある面と反対側の面に、耐熱滑性層を設けることが好ましい。耐熱滑性層は、耐熱樹脂から形成される。耐熱樹脂としては、特に限定されるものではないが、例えば、ポリビニルブチラール樹脂、ポリビニルアセタール樹脂、ポリエステル樹脂、ポリエーテル樹脂、ポリブタジエン樹脂、塩化ビニル−酢酸ビニル共重合体樹脂、スチレン−ブタジエン共重合体樹脂、ポリウレタンアクリレート、ポリエステルアクリレート、ポリイミド樹脂、ポリカーボネート樹脂が挙げられる。
【０２７６】
耐熱滑性層は、更に、潤滑剤、架橋剤、離型剤等を添加しても良い。
【０２７７】
該潤滑剤としては、アミノ変性シリコーン化合物、カルボキシ変性シリコーン化合物が挙げられる。また、耐熱性微粒子としては、シリカの如き微粒子が挙げられ、結着剤としては、アクリル系樹脂が挙げられるが、これらに限定されるものではない。
【０２７８】
耐熱滑性層は、上述の樹脂、添加剤を溶剤に加え溶解または分散させて、耐熱滑性層塗布液を作り、塗布することにより形成される。耐熱滑性層塗布液を塗布する方法としては、特に限定されるものではないが、バーコーター、グラビアコーター、リバースロールコーター、ロッドコーター、エアドクタコーターを用いた方法が挙げられる。特にグラビアコーターが好ましい。耐熱滑性層塗布液の塗布量としては、色材層の乾燥後の厚さが０．１〜５μｍの範囲となるように塗布することが、転写性の点で好ましい。
【０２７９】
また、塗布においては、特に限定されるものではないが、５０〜１２０℃の温度で１秒〜５分程度乾燥させると良い。乾燥が不十分であると、地汚れや巻き取りの際に染料インクが裏移りしたり、更にその裏移りした染料インキが巻き返した際に異なる色相の染料層に再転移したりするキックバックが生じてしまう。
【０２８０】
［加熱手段］
本発明の感熱転写記録用シートを加熱する加熱手段としては、特に限定されるものではないが、サーマルヘッドを用いた常法のみならず、赤外線またはレーザー光も利用することができる。また、ベースフィルムそのものに電気を流すことによって過熱することもできる。この場合には、発熱する通電発熱フィルムを用いて、通電型染料転写シートとすればよい。
【実施例】
【０２８１】
以下、実施例及び比較例を挙げて、本発明を更に詳細に説明するが、本発明はこれらの実施例に限定されるものではない。なお、文中「部」及び「％」とあるのは特に断りのない限り質量基準である。得られた化合物の同定は、１Ｈ核磁気共鳴分光分析（１Ｈ−ＮＭＲ）装置（ＥＣＡ−４００、日本電子（株）製）、及び、ＬＣ／ＴＯＦ  ＭＳ（ＬＣ／ＭＳＤ  ＴＯＦ、Ａｇｉｌｅｎｔ  Ｔｅｃｈｎｏｌｏｇｉｅｓ社製）装置を用いて行った。
【０２８２】
［一般式（１）で表される構造を有する色素化合物の製造］
本発明の一般式（１）で表わされる構造を有する色素化合物は、公知の方法によって合成することが可能である。
【０２８３】
以下に記載する方法で本発明の一般式（１）で表される化合物を製造した。
【０２８４】
【化１３１】
2015178269.tif 000132
【０２８５】
＜製造例１：化合物（１）の製造＞
ピリドン化合物（１）１０ｍｍｏｌのトルエン２０ｍＬ懸濁液に、ｐ−トルエンスルホン酸１００ｍｇを加え、７０℃に昇温し、アルデヒド化合物（１）１０ｍｍｏｌのトルエン２０ｍＬ溶液を滴下した。更に、共沸脱水を行いながら、１６０℃で６時間加熱還流させた。反応終了後、室温に冷却し、イソプロパノールで希釈した。減圧下濃縮後、残さをカラムクロマトグラフィーによる精製（展開溶媒：酢酸エチル／ヘプタン）して４．６ｇ（収率７８％）の化合物（１）を得た。化合物（１）のＣＤＣｌ３中、室温、４００ＭＨｚにおける１Ｈ−ＮＭＲスペクトルを示す。
【０２８６】
［化合物（１）についての分析結果］
［１］１Ｈ−ＮＭＲ（４００ＭＨｚ、ＣＤＣｌ３、室温）：δ（ｐｐｍ）＝０．９７（３Ｈ、ｔ、Ｊ＝７．３３Ｈｚ）、１．０３（３Ｈ、ｔ、Ｊ＝７．３３Ｈｚ）、１．３６（２Ｈ、ｄｄ、Ｊ＝７．３３、１４．７Ｈｚ）、１．４３−１．５８（１１Ｈ、ｍ）、１．６６−１．７８（４Ｈ、ｍ）、２．４８（３Ｈ、ｓ）、２．５６（３Ｈ、ｓ）、３．５０（２Ｈ、ｔ、Ｊ＝７．５６Ｈｚ）、３．８０（２Ｈ、ｔ、Ｊ＝７．３３Ｈｚ）、７．３４（２Ｈ、ｔ、Ｊ＝７．５６Ｈｚ）、７．４５（１Ｈ、ｔ、Ｊ＝６．８７Ｈｚ）、７．６８（２Ｈ、ｄ、Ｊ＝８．２４Ｈｚ）、８．２４（１Ｈ、ｓ）。
【０２８７】
［２］質量分析（ＥＳＩ−ＴＯＦ）：ｍ／ｚ＝５９０．２９８９（Ｍ＋Ｈ）＋
その他、表１〜３に記載のある化合物は、製造例１と同様な方法で製造するか、または、市販品を入手して活用した。
【０２８８】
表１において、Ｙ、Ｍ、Ｃは、それぞれ、Ｙｅｌｌｏｗ、Ｍａｇｅｎｔａ、Ｃｙａｎを表す。
【０２８９】
＜感熱転写記録用シートの作成＞
＜マゼンタインク調製例１＞
メチルエチルケトン４５部／トルエン４５部の混合溶液にポリビニルブチラール樹脂（デンカ３０００−Ｋ；積水化学（株）製）５部を少しずつ添加して溶解させた。ここに、化合物（１）５部を添加して完全に溶解させることで、感熱転写記録用シート作成用のマゼンタインク（Ｍ１）を得た。
【０２９０】
＜マゼンタインク調製例２〜１２＞
表１に記載のマゼンタ染料、配合比で、総量が５部となるように組み合わせたマゼンタインク（Ｍ２）乃至（Ｍ１２）を調製した。
【０２９１】
【表１】
2015178269.tif 000133
【０２９２】
＜イエローインク調製例１〜１５＞
表２に記載のイエロー染料、配合比で、総量が５部となるように組み合わせたイエローインク（Ｙ１）乃至（Ｙ１５）を調製した。
【０２９３】
【表２】
2015178269.tif 000134
【０２９４】
＜シアンインク調製例１〜７＞
表３に記載のシアン染料、配合比で、総量が５部となるように組み合わせたシアンインク（Ｃ１）乃至（Ｃ７）を調製した。
【０２９５】
【表３】
2015178269.tif 000135
【０２９６】
＜実施例１＞
基材として、厚さ４．５μｍのポリエチレンテレフタレートフィルム（ルミラー；東レ（株）製）を用い、該基材上に、乾燥後の厚みが１μｍになるように感熱転写記録用シート作成用の上記マゼンタインク（１）を塗布し、乾燥することによって、マゼンタ染料層を形成した。有する感熱転写記録用シート（Ｍ１）を作製した。
【０２９７】
次いで、マゼンタインク（１）を用いる代わりに、イエローインク（１）を用いる以外はマゼンタ染料層の形成と同様にして、マゼンタ染料層の隣の領域に、イエロー染料層を形成した。同様にして、イエロー染料層の隣の領域に、シアンインク（１）を用いて、シアン染料層を形成した。
【０２９８】
こうして作成された、マゼンタ染料層、イエロー染料層、シアン染料層を有する感熱転写記録用シートを用いて、Ｃａｎｏｎ製Ｓｅｌｐｈｙ  ＣＰ９００を用いて、印画紙に転写して画像サンプル（１）を作成した。
【０２９９】
尚、Ｍ、Ｙ、Ｃそれぞれの印画出力を０％〜１００％まで１０％刻みで変化させ、組み合わせた画像を、画像サンプルとして出力した。
【０３００】
＜実施例２〜１１、比較例１〜４＞
実施例１において、使用する各色インクを表４に記載のように変更する以外は同様にして、マゼンタ染料層、イエロー染料層、シアン染料層を有する感熱転写記録用シートを作成した。
【０３０１】
作成された各感熱転写記録用シートを用いて、画像サンプル（２）〜（１１）、比較用画像サンプル（１）〜（４）を作成した。
【０３０２】
【表４】
2015178269.tif 000136
【０３０３】
＜評価＞
［色域体積の評価］
反射濃度計ＳｐｅｃｔｒｏＬｉｎｏ（Ｇｒｅｔａｇ  Ｍａｃｂｅｔｈ社製）を用いて、各画像サンプルにおける一次色および二次色部のＬ＊ａ＊ｂ＊表色系における色度（Ｌ＊、ａ＊、ｂ＊）を測定した。
【０３０４】
測定結果を用いて色再現面積をシミュレートし、比較例に対して色再現体積が何％向上したかを評価した。基準とする比較例として、高彩度マゼンタ、イエロー染料を用いていない比較例４を用いることとした。
【０３０５】
色域体積の評価基準は以下の通りである。得られた結果を表４に示した。
Ａ：１１５％≦色域体積
Ｂ：１０５％≦色域体積＜１１５％
Ｃ：色域体積＜１０５％
【０３０６】
［プロセスブラックの評価］
各画像サンプルにおけるプロセスブラック部分の分光反射スペクトルを、反射濃度計ＳｐｅｃｔｒｏＬｉｎｏ（Ｇｒｅｔａｇ  Ｍａｃｂｅｔｈ社製）を用いて測定した。
【０３０７】
測定された分光反射スペクトルから平均反射率を計算し、平均反射率の低さをプロセスブラックの再現性として評価をした。
【０３０８】
プロセスブラックの評価基準は以下の通りである。得られた結果を表４に示した。
Ａ：（平均反射率×１００）＜０．４
Ｂ：０．４≦（平均反射率×１００）＜０．６
Ｃ：０．６≦（平均反射率×１００）
【０３０９】
［印画濃度の評価］
各画像サンプルにおけるマゼンタ、イエロー、シアン各１００％印画部分の分光反射濃度を、反射濃度計ＳｐｅｃｔｒｏＬｉｎｏ（Ｇｒｅｔａｇ  Ｍａｃｂｅｔｈ社製）を用いて測定した。
【０３１０】
マゼンタ、イエロー、シアンの各分光反射濃度を足し合わせた値を用いて印画濃度の評価を行った。
【０３１１】
印画濃度の評価基準は以下の通りである。得られた結果を表４に示した。
Ａ：５．９≦印画濃度
Ｂ：５．７≦印画濃度＜５．９
Ｃ：印画濃度＜５．７
【０３１２】
＜総合評価＞
表４に示す色域面積、プロセスブラック、印画濃度の評価から得られた総合評価を表４に示す。
【０３１３】
総合評価により明らかなように、本発明の感熱転写記録用シートを用いれば、高彩度な画像を得ることが可能であり、高い発色性を有しており表現可能な色域が広く、プロセスブラックで形成した高品位なブラック画像を得ることができる。
【産業上の利用可能性】
【０３１４】
本発明の感熱転写記録用シートを用いれば、高彩度、広色域再現性を有し、かつ高品位なプロセスブラックが表現可能な画像サンプルを得ることができる。